【手続補正書】
【提出日】平成22年7月22日(2010.7.22)
【手続補正１】
【補正対象書類名】特許請求の範囲
【補正対象項目名】全文
【補正方法】変更
【補正の内容】
【特許請求の範囲】
【請求項１】
送信レート制御を指示する信号により、自無線通信装置のバッファデータ量に関する情報を近隣の無線通信装置に送信するとともに、近隣の無線通信装置のバッファデータ量に関する情報を近隣の無線通信装置から受信する送受信部と、
近隣の無線通信装置のバッファデータ量に関する情報に基づいて、送信レートを制御する制御部と、
を有し、
近隣の無線通信装置に送信される自無線通信装置のバッファデータ量に関する情報は、サービス品質の優先度に基づいて分類され、優先度毎に分類された情報が送信レート制御を指示する信号に含まれる無線通信装置。
【請求項２】
前記送受信部は、送信レート制御が指示された信号により、近隣の無線通信装置のバッファデータ量に関する情報を近隣の無線通信装置から受信する、請求項１に記載の無線通信装置。
【請求項３】
前記制御部は、サービス品質の優先度に基づいて分類された近隣の無線通信装置のバッファデータ量に関する情報に基づいて、送信レートを制御する、請求項１に記載の無線通信装置。
【請求項４】
前記制御部は、パケットを送信する前に待つ事前に決められた期間を決めるパラメタと、自無線通信装置が連続してデータパケットを送信する継続期間を決めるパラメタとのうち少なくとも１つを変更することにより、送信レートを制御する、請求項１に記載の無線通信装置。
【請求項５】
バッファデータ量に関する情報は、送信レート制御に関する時間情報を含む、請求項１に記載の無線通信装置。
【請求項６】
無線通信装置における無線通信方法であって、
自無線通信装置の送受信部から、送信レート制御を指示する信号により、自無線通信装置のバッファデータ量に関する情報を近隣の無線通信装置に送信するステップと、
自無線装置の送受信部で、近隣の無線通信装置のバッファデータ量に関する情報を近隣の無線通信装置から受信するステップと、
近隣の無線通信装置のバッファデータ量に関する情報に基づいて、送信レートを制御するステップと、
を有し、
近隣の無線通信装置に送信される自無線通信装置のバッファデータ量に関する情報は、サービス品質の優先度に基づいて分類され、優先度毎に分類された情報が送信レート制御を指示する信号に含まれる無線通信方法。
【請求項７】
前記受信するステップは、送信レート制御が指示された信号により、近隣の無線通信装置のバッファデータ量に関する情報を近隣の無線通信装置から受信する、請求項６に記載の無線通信方法。
【請求項８】
前記制御するステップは、サービス品質の優先度に基づいて分類された近隣の無線通信装置のバッファデータ量に関する情報に基づいて、送信レートを制御する、請求項６に記載の無線通信方法。
【請求項９】
前記制御するステップは、パケットを送信する前に待つ事前に決められた期間を決めるパラメタと、自無線通信装置が連続してデータパケットを送信する継続期間を決めるパラメタとのうち少なくとも１つを変更することにより、送信レートを制御する、請求項６に記載の無線通信方法。
【請求項１０】
バッファデータ量に関する情報は、送信レート制御に関する時間情報を含む、請求項６に記載の無線通信方法。
【請求項１１】
複数の無線通信装置を含む無線通信システムであって、
各無線通信装置は、
送信レート制御を指示する信号により、自無線通信装置のバッファデータ量に関する情報を近隣の無線通信装置に送信するとともに、近隣の無線通信装置のバッファデータ量に関する情報を近隣の無線通信装置から受信する送受信部と、
近隣の無線通信装置のバッファデータ量に関する情報に基づいて、送信レートを制御する制御部と、
を有し、
近隣の無線通信装置に送信される自無線通信装置のバッファデータ量に関する情報は、サービス品質の優先度に基づいて分類され、優先度毎に分類された情報が送信レート制御を指示する信号に含まれる無線通信システム。
【手続補正２】
【補正対象書類名】明細書
【補正対象項目名】００２３
【補正方法】変更
【補正の内容】
【００２３】
上記の課題を解決するため、本発明にあっては、送信レート制御を指示する信号により、自無線通信装置のバッファデータ量に関する情報を近隣の無線通信装置に送信するとともに、近隣の無線通信装置のバッファデータ量に関する情報を近隣の無線通信装置から受信する送受信部と、近隣の無線通信装置のバッファデータ量に関する情報に基づいて、送信レートを制御する制御部とを有し、近隣の無線通信装置に送信される自無線通信装置のバッファデータ量に関する情報は、サービス品質の優先度に基づいて分類され、優先度毎に分類された情報が送信レート制御を指示する信号に含まれる無線通信装置を要旨としている。
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】削除
【補正の内容】
【手続補正１２】
【補正対象書類名】明細書
【補正対象項目名】００３３
【補正方法】削除
【補正の内容】
【手続補正１３】
【補正対象書類名】明細書
【補正対象項目名】００３４
【補正方法】削除
【補正の内容】
【手続補正１４】
【補正対象書類名】明細書
【補正対象項目名】００３５
【補正方法】削除
【補正の内容】
【手続補正１５】
【補正対象書類名】明細書
【補正対象項目名】００３６
【補正方法】削除
【補正の内容】
【手続補正１６】
【補正対象書類名】明細書
【補正対象項目名】００３７
【補正方法】削除
【補正の内容】
【手続補正１７】
【補正対象書類名】明細書
【補正対象項目名】００３８
【補正方法】削除
【補正の内容】
【手続補正１８】
【補正対象書類名】明細書
【補正対象項目名】００３９
【補正方法】変更
【補正の内容】
【００３９】
また、無線通信装置における無線通信方法であって、自無線通信装置の送受信部から、送信レート制御を指示する信号により、自無線通信装置のバッファデータ量に関する情報を近隣の無線通信装置に送信するステップと、自無線装置の送受信部で、近隣の無線通信装置のバッファデータ量に関する情報を近隣の無線通信装置から受信するステップと、近隣の無線通信装置のバッファデータ量に関する情報に基づいて、送信レートを制御するステップとを有し、近隣の無線通信装置に送信される自無線通信装置のバッファデータ量に関する情報は、サービス品質の優先度に基づいて分類され、優先度毎に分類された情報が送信レート制御を指示する信号に含まれる無線通信方法として構成することができる。
【手続補正１９】
【補正対象書類名】明細書
【補正対象項目名】００４０
【補正方法】変更
【補正の内容】
【００４０】
また、複数の無線通信装置を含む無線通信システムであって、各無線通信装置は、送信レート制御を指示する信号により、自無線通信装置のバッファデータ量に関する情報を近隣の無線通信装置に送信するとともに、近隣の無線通信装置のバッファデータ量に関する情報を近隣の無線通信装置から受信する送受信部と、近隣の無線通信装置のバッファデータ量に関する情報に基づいて、送信レートを制御する制御部とを有し、近隣の無線通信装置に送信される自無線通信装置のバッファデータ量に関する情報は、サービス品質の優先度に基づいて分類され、優先度毎に分類された情報が送信レート制御を指示する信号に含まれる無線通信システムとして構成することができる。